(57)【要約】【課題】  アンテナ等の取付物を容易に取り付けることができ、かつ、取付場所がポール，壁面，天井等であっても、共用可能な取付装置の提供を目的とする。【解決手段】  アンテナ取付装置１は、断面が鉤状に折り曲げられた係止板１３が設けられた取付金具１０と、係止板１３が挿入されるガイド部２２が設けられた被取付金具２０とを備え、係止板１３をガイド部２２に挿入し、取付け方向に取付金具１０を回転させ、係止板１３が被係止板２１に係止され、アンテナ７がポール８に取り付けられる。【選択図】      図５
2005086393.tif 000002
【特許請求の範囲】
【請求項１】
被取付体に固定される被取付部材と、
取付物に固定され、前記被取付部材に取り付けられる取付具とを備えた取付装置であって、
前記被取付部材及び／又は取付具に設けられ、断面が鉤状に折り曲げられた係止板と、
前記係止板と対向する前記取付具及び／又は被取付部材に設けられ、前記係止板が挿入されるガイド部が形成された被係止板と
を備え、
前記係止板を前記ガイド部に挿入した状態で回転又は移動させると、前記係止板が前記被係止板に係止される
ことを特徴とする取付装置。
【請求項２】
前記取付物をアンテナとしたことを特徴とする請求項１記載の取付装置。
【請求項３】
係止された状態の前記係止板が、前記被係止板の背面に押し付けられることを特徴とする請求項１又は２記載の取付装置。
【請求項４】
前記被取付部材を底板のない矩形箱型の形状とし、対向する側板に、前記被取付体の被取付面に対応する形状の切欠を形成したことを特徴とする請求項１〜３のいずれかに記載の取付装置。
【請求項５】
前記被取付部材の対向する側板に、前記被取付体に固定するための固定孔の形成されたフランジを設けたことを特徴とする請求項４記載の取付装置。
【請求項６】
前記被取付体を挟むように、前記被取付部材と連結される挟支部材を備えたことを特徴とする請求項４又は５記載の取付装置。
【請求項７】
前記ガイド部に挿入された前記係止板を回転又は移動させる際に使用される、前記係止板の位置を決める位置決め手段を備えたことを特徴とする請求項１〜６のいずれかに記載の取付装置。
【発明の詳細な説明】
【技術分野】
【０００１】
本発明は、取付装置に関し、特に、アンテナを容易に取り付けることができ、かつ、アンテナの取付場所がポール，壁，天井であっても、対応することの可能な取付装置に関する。
【背景技術】
【０００２】
従来のアンテナ取付装置は、図１４に示すように、上面からみると‘コ’字状に形成された取付金具１０１と、取付金具１０１をポール８に固定するＵボルト１０２及びナット１０３と、アンテナ７にボルト１０４で固定された一対の連結金具１０５と、この金具１０５と取付金具１０１を連結するボルト１０６及びナット１０７とからなっていた。
このアンテナ取付装置１００は、連結金具１０５の形状がシンプルであるものの、取付金具１０１と連結金具１０５をボルト１０６及びナット１０７で連結しなければならず、作業性が悪かった。
【０００３】
ところで、取付け作業性を改善する技術が様々提案されている。
たとえば、取付けポールを挟んでねじ止め固定される固定部材を、ひんじ機構及び仮止め機構を設けて仮止めする構成とした、屋外通信装置の取付け構造の技術がある（例えば、特許文献１参照。）。
【０００４】
また、アンテナポールを挟んだ状態で第二ホルダを第一ホルダにワンタッチで固定し、第一ホルダが、アンテナポールを押圧する弾性体により付勢された押圧片を設けた、アンテナ取付装置の技術がある（例えば、特許文献２参照。）。
【０００５】
【特許文献１】特開平１１−１４５７１３号公報  （第１項  ，図１）
【特許文献２】特開平０９−２９４０１０号公報  （第１項  ，図２）
【０００６】
また、近年、アンテナは小型・軽量化されるとともに、その機能や使用シーンが多様化されている。さらに、アンテナは、一般的に、ポールに取り付けられてきたが、ポール以外の箇所、たとえば、壁面や天井等への設置されるケースも増加している。
【発明の開示】
【発明が解決しようとする課題】
【０００７】
しかしながら、上記屋外通信装置の取付け構造の技術は、屋外通信装置を取付けポールに取り付ける際、固定部材を仮止めすることができるものの、固定部材どうしをねじ止めする必要があり、作業性が悪いといった問題があった。
すなわち、アンテナを取り付ける場所は、通常、ポール等の作業が困難な場所が多いことから、作業の安全性を考慮して設置作業を極力少なくするため、設置時にネジを使用しないで安全、確実、かつ簡便な取付工事を行なうことが要望されていた。
【０００８】
また、アンテナ取付装置の技術は、ねじ締め作業を行わなくても、アンテナをアンテナポールに取り付けることができるものの、壁や天井に取り付けることはできず、ポール，壁，天井などの被取付体に対して共用できないといった問題があった。さらに、上記アンテナ取付装置１００は、ポール設置専用のＵボルト１０２による取付装置であるため、壁面への設置を行う場合には、別の取付装置が必要であった。
すなわち、設置場所によって取付装置の種類を変えなくてもすみ、必要最小限の取付装置で全ての取付環境に対応することができる、共用可能な取付装置が要望されていた。
【０００９】
本発明は、上述した従来の技術が有する問題を解決するために提案されたものであり、アンテナ等の取付物を容易に取り付けることができ、かつ、取付場所がポール，壁面，天井等であっても、共用可能な取付装置の提供を目的とする。
【課題を解決するための手段】
【００１０】
上記目的を達成するため本発明の取付装置は、被取付体に固定される被取付部材と、取付物に固定され、前記被取付部材に取り付けられる取付具とを備えた取付装置であって、前記被取付部材及び／又は取付具に設けられ、断面が鉤状に折り曲げられた係止板と、前記係止板と対向する前記取付具及び／又は被取付部材に設けられ、前記係止板が挿入されるガイド部が形成された被係止板とを備え、前記係止板を前記ガイド部に挿入した状態で回転又は移動させると、前記係止板が前記被係止板に係止される構成としてある。
【００１１】
また、本発明の取付装置は、前記取付物をアンテナとした構成としてある。
【００１２】
また、本発明の取付装置は、係止された状態の前記係止板が、前記被係止板の背面に押し付けられる構成としてある。
【００１３】
また、本発明の取付装置は、前記被取付部材を底板のない矩形箱型の形状とし、対向する側板に、前記被取付体の被取付面に対応する形状の切欠を形成した構成としてある。
【００１４】
また、本発明の取付装置は、前記被取付部材の対向する側板に、前記被取付体に固定するための固定孔の形成されたフランジを設けた構成としてある。
【００１５】
また、本発明の取付装置は、前記被取付体を挟むように、前記被取付部材と連結される挟支部材を備えた構成としてある。
【００１６】
また、本発明の取付装置は、前記ガイド部に挿入された前記係止板を回転又は移動させる際に使用される、前記係止板の位置を決める位置決め手段を備えた構成としてある。
【発明の効果】
【００１７】
本発明の取付装置によれば、取付物を被取取付体に簡単にかつ短時間で取り付けることができる。このため、取付箇所がポールや壁面，天井等といった作業が困難な場所であっても、安全に作業することができる。
また、本発明の取付装置によれば、たとえば、ポール，壁面，天井等の異なる設置場所に対応することができるので、設置場所によって取付装置の種類を変えなくてもすみ、必要最小限の取付装置で異なった取付環境に対応することができる。
さらに、ポール，壁，天井などの作業しずらい取付場所に設置されることの多いアンテナを、安全かつ容易に取り付けることができる。
【００１８】
本発明における取付装置によれば、係止板と被係止板との間に摩擦力が発生するので、振動等により係止板が移動してしまい、取付物が脱落するといった不具合を確実に防止することができる。
また、被取付体がポール等である場合であっても、被取付け部材を強固に固定することができる。
さらに、被取付体が壁や天井である場合であっても、被取付け部材をねじ等を用いて強固に固定することができる。
【００１９】
本発明における取付装置によれば、被取付体がポール等である場合であっても、被取付部材をポール等に固定する専用の形状としなくても、挟支部材を用いることで対応することができ、被取付部材の共用化を図ることができる。
また、取付物と被取付体の位置精度を向上させることができ、さらに、位置決め作業が改善され作業効率を向上させることができる。
【発明を実施するための最良の形態】
【００２０】
次に、本発明のアンテナ取付装置の好ましい実施形態について、図面を参照して説明する。
【００２１】
［第一実施形態］
図１は、第一実施形態にかかるアンテナ取付装置の使用状態を説明するための概略側面図を示している。
同図において、アンテナ取付装置１は、取付具としての取付金具１０と、被取付部材としての被取付金具２０と、挟支部材としての挟支金具３０と、固定ねじ４，５及びナット６とからなっている。
アンテナ取付装置１は、取付金具１０が、固定ねじ４によりアンテナ７に固定されている。また、被取付金具２０と挟支金具３０が、固定ねじ５及びナット６によって、ポール８に固定されている。そして、取付金具１０が、後述するように、被取付金具２０に着脱自在に取り付けられる。
【００２２】
また、図２は、第一実施形態にかかるアンテナ取付装置の構成を説明するための概略分解斜視図を示している。
同図において、取付金具１０は、アンテナ７（図示せず）と３本の固定ねじ４で固定され、また、被取付金具２０と挟支金具３０は、四本の固定ねじ５及びナット６でポール８（図示せず）に固定される。
【００２３】
挟支金具３０は、矩形平板状の金属板の中央部をポール８の断面形状に合わせてプレス成形したポール固定部３１と、このポール固定部３１の両側のフランジ３２とからなり、フランジ３２の四隅には、固定ねじ５が貫通する固定孔３３が形成されている。
なお、挟支金具３０の構造は、上記構造に限定されるものではなく、たとえば、Ｕ字ボルト（図示せず）等を使用することもできる。
【００２４】
図３は、第一実施形態にかかるアンテナ取付装置の取付金具の構造を説明するための概略図であり、（ａ）は正面図を、（ｂ）はＡ−Ａ方向から見た側面図を示している。
同図において、取付金具１０は、角部が面取りされたほぼ正三角形状の平板１１と、上記平板１１の各辺から正面方向に折り曲げられた側板１２と、各側板１２の中央部から外方向に折り曲げられた係止板１３とからなっている。
【００２５】
平板１１は、面取りされた側の各端部（三箇所）に、固定ねじ４が貫通する固定孔１４が形成されている。
側板１２は、固定ねじ４の頭部より高くしてあり、正面方向側の端面１２１が取付金具２の被係止板２１と当接する。
係止板１３は、断面が鉤状に折り曲げられた形状としてあり、連結部１３１と係止板本体１３２とからなっている。連結部１３１の寸法Ｈは、被取付金具２０の被係止板２１を、側板１２の端面１２１と係止板本体１３２との間に挟めるように、取付金具２の被係止板２１の板厚より大きい寸法としてある。
【００２６】
ここで、好ましくは、係止板本体１３２を平板１１側に折り曲げるとよい。
このようにすると、被取付金具２０の被係止板２１を側板１２の端面１２１と係止板本体１４２の間に挟むと、係止板本体１３２が正面方向側（平板１１の反対側）に変形し、この変形を戻そうとする復元力によって、係止板本体１３２が被係止板２１を押さえ付ける。そして、係止板本体１３２が被係止板２１の裏面に押し付けられると、係止板１３と被係止板２１との間に摩擦力が発生するので、振動等により係止板１３が移動してしまい、アンテナ７が脱落するといった不具合を確実に防止することができる。
【００２７】
また、係止板１４の少なくとも一つは、位置決め手段として、取付け方向の反対側の端部から平板１１側に回転止め１５が突設されている。これにより、係止板１４をガイド部２２に挿入し、取付金具１０を取付け方向に回転させると、回転止め１５が被取付金具２０のガイド部２２の端面と当接して、取付金具１０の取付け位置が決まる。すなわち、取付金具１０と被取付金具２０の位置精度を向上させることができ、また、位置決め作業が改善され作業効率を向上させることができる。
【００２８】
図４は、第一実施形態にかかるアンテナ取付装置の被取付金具の構造を説明するための概略図であり、（ａ）は平面図を、（ｂ）は上面図を示している。
同図において、被取付金具２０は、ガイド部２２が形成された被係止板２１を備えた矩形箱状の形状としてある。
【００２９】
被取付金具２０は、正面板である被係止板２１を有しているが、被係止板２１と対向する底板は設けられていない。
上下方向に対向する側板、すなわち、上板２３及び下板２４には、ポール８の断面形状と対応する形状（半円形の形状）に切り欠いたポール固定部２５を形成してある。また、左右方向の対向する側板２８には、フランジ２７を設けてあり、このフランジ２７は、挟支金具３０の固定孔３３と対応する位置に固定孔２６を形成してある。
【００３０】
被係止板２１に形成されたガイド部２２は、取付金具１０の三つの連結部１３１が納まる円形状の切欠２２１と、係止板本体１３２が挿入される係止板本体１３２に対応した形状からなる切欠２２２とからなっている。
なお、取付金具１１０，被取付金具２０及び挟支金具３０は、金属板をプレス加工することによって製造するとよく、このようにすると、製造費用のコストダウンを図ることができる。
【００３１】
次に、上記構成のアンテナ取付装置１の使用方法について、図面を参照して説明する。
図５は、第一実施形態にかかるアンテナ取付装置の使用方法を説明するための概略図であり、（ａ）は取付金具の斜視図を、（ｂ）は被取付金具と挟支金具の斜視図を示している。
同図において、取付金具１０は、固定ねじ４によって、アンテナ７に固定され、また、被取付金具２０と挟支金具３０は、固定ねじ５とナット６によって、ポール８に固定される。
【００３２】
図６は、第一実施形態にかかるアンテナ取付装置において、取付金具を被取付金具に取り付ける第一動作を説明するための概略図を示している。
同図において、取付者（図示せず）は、取付金具１０を約３０度反時計廻り方向（取付け方向の反対方向）に回転させて、係止板１３を被取付金具２０のガイド部２２に挿入する。
なお、理解しやすいように、取付金具１０と被取付金具２０を実線で示してある。
【００３３】
また、図７は、第一実施形態にかかるアンテナ取付装置において、取付金具を被取付金具に取り付ける第二動作を説明するための概略図を示している。
同図において、取付者は、係止板１３が被取付金具２０のガイド部２２に挿入された取付金具１０を、取付け方向（時計回り方向）に約３０度回転させる。
このようにすると、係止板１３が被係止板２１に係止され、取付金具１０を被取付金具２０に取り付ることができる。
また、所定の角度だけ回転すると、回転止め１５がガイド部２２と当接し、位置決めが行なわれる。
【００３４】
このように、本実施形態のアンテナ取付装置１０は、アンテナ７に固定された取付金具１０を被取付金具２０に挿入し回転させるだけで、取付金具１０を被取付金具２０に固定することができ、アンテナ７をポール８に、簡単にかつ短時間で取り付けることができ、作業性を改善するとともに、作業の安全性を向上させることができる。
【００３５】
また、上記実施形態は、被取付金具２０をポール８に取り付けた構成としてあるが、被取付体は、ポール８に限定されるものではない。
図８は、第一実施形態にかかるアンテナ取付装置の使用例を説明するための概略図であり、（ａ）は壁面に取り付けた斜視図を、（ｂ）は天井に取り付けた斜視図を示している。
同図（ａ）において、アンテナ取付装置１は、被取付金具２０が、固定ねじ５で壁面８１に固定されている。また、同図（ｂ）において、アンテナ取付装置１は、被取付金具２０が、固定ねじ５で天井８２に固定されている。
すなわち、上記実施形態と比べると、挟支金具３０及びナット６を使用しない構成としてあり、その他の構成はほぼ同様としてある。
【００３６】
このように、第一実施形態のアンテナ取付装置１は、取付場所が壁面８１や天井８２であっても、被取付金具２０をそのまま使用することができるので、取付場所に対する共用化を実現することができる。
【００３７】
［第二実施形態］
図９は、第二実施形態にかかるアンテナ取付装置の使用状態を説明するための概略側面図を示している。
同図において、アンテナ取付装置１ａは、取付金具１０ａと、被取付金具２０ａと、挟支金具３０と、固定ねじ４，５及びナット６とからなっている。
取付金具１０ａは、固定ねじ４によりアンテナ７に固定されている。また、被取付金具２０ａと挟支金具３０は、固定ねじ５及びナット６によって、ポール８に固定されている。
なお、本実施形態のアンテナ取付装置１ａは、第一実施形態のアンテナ取付装置１が、取付金具１０に係止板１３を設け、被取付金具２０に被係止板２１設けたのに対し、取付金具１０ａに被係止板１１ａを設け、被取付金具２０に係止板２２ａを設けた構成としてある。
【００３８】
図１０は、第二実施形態にかかるアンテナ取付装置の取付金具の構造を説明するための概略図であり、（ａ）は平面図を、（ｂ）は上面図を示している。
同図において、取付金具１０ａは、ガイド部１２ａが形成された被係止板１１ａを備えた矩形箱状の形状としてある。
【００３９】
被係止板１１ａは、取付金具１０ａの正面板であり、また、三箇所に配設されたガイド部１２ａは、被取付金具２０ａの三つの係止板２２ａが挿入される係止板本体２２２ａに対応した形状からなる切欠１２１ａと、係止板２２ａの連結部２２１ａが係入される円弧状の切欠１２２ａとからなっている。
また、一対の対向する側板１３ａには、固定ねじ４が貫通する固定孔１４ａを設けたフランジ１５ａが設けてある。
【００４０】
図１１は、第二実施形態にかかるアンテナ取付装置の被取付金具の構造を説明するための概略図であり、（ａ）は正面図を、（ｂ）はＢ−Ｂ断面図を示している。
同図において、被取付金具２０ａは、係止板２２ａが設けられた正面板２１ａを備えた箱状の形状としてあり、第一実施形態の被取付金具２０において、被係止板２１の代わりに正面板２１ａを設けた構成としてある。
【００４１】
正面板２１ａは、中央部に円形状の切欠２１１ａが形成してあり、切欠２１１ａを三等分する周縁部から、係止板２２ａが突設してある。
この係止板２２ａは、断面が鉤状に折り曲げられた形状としてあり、正面方向に折り曲げられた連結部２２１ａと中心向に折り曲げられた係止板本体２２２ａとからなっている。
なお、係止板２２ａのその他の構造は、第一実施形態の係止板１３とほぼ同様な構造としてある。
【００４２】
次に、上記構成のアンテナ取付装置１ａの使用方法について、図面を参照して説明する。
図１２は、第二実施形態にかかるアンテナ取付装置の使用方法を説明するための概略図であり、（ａ）は取付金具の斜視図を、（ｂ）は被取付金具と挟支金具の斜視図を示している。
同図において、取付金具１０ａは、固定ねじ４によって、アンテナ７に固定されており、また、被取付金具２０ａと挟支金具３０は、固定ねじ５とナット６によって、ポール８に固定されている。
【００４３】
図１３は、第二実施形態にかかるアンテナ取付装置において、取付金具を被取付金具に取り付ける動作を説明するための概略図であり、（ａ）は第一動作の正面図を、（ｂ）は第二動作の正面図を示している。
同図（ａ）において、取付者（図示せず）は、取付金具１０ａを約３０度反時計廻り方向に回転させて、被取付金具２０ａの係止板２２ａを取付金具１０ａのガイド部１２ａ（切欠１２１ａ）に挿入する。
なお、理解しやすいように、取付金具１０ａと被取付金具２０ａを実線で示してある。
【００４４】
また、同図（ｂ）において、取付者は、係止板２２ａが取付金具１０ａのガイド部１２ａに挿入された取付金具１０ａを、取付け方向（時計回り方向）に約３０度回転させ、回転止めとしての機能を有する切欠１２２ａに連結部２２１ａを係入させる。
このようにすると、係止板２２ａが被係止板１１ａに係止され、取付金具１０ａを被取付金具２０ａに取り付ることができる。
なお、所定の角度（約３０度）だけ回転すると、連結部２２１ａが切欠１２２ａの端部と当接し、取付金具１０ａの位置決めを行なうことができる。
【００４５】
このように、本実施形態のアンテナ取付装置１ａは、係止板２２ａをガイド部１２ａに挿入した状態で、アンテナ７に固定された取付金具１０ａを回転させるだけで、簡単にかつ短時間で取付金具１０ａを被取付金具２０ａに固定することができる。
【００４６】
以上、本発明の好適な実施形態について説明してきたが、本発明は上記の実施形態によりなんら限定されるものではなく、本発明の適用範囲内で種々に変更することが可能である。
たとえば、係止板を取付具と被取付部材の両方に設け、これらの係止板に対応するガイド部を、被係止部材と取付具の両方に設ける構成としてもよい。
【００４７】
また、取付金具を被取付金具に対し回転させて係止板を係止させる構成に限定されるものではなく、たとえば、被係止板と平行な一又は二以上の方向に係止板を移動させたり、あるいは、被係止板と垂直な方向に係止板を係止させる構成としてもよい。
さらには、上記回転，被係止板と平行な移動又は被係止板と垂直な移動を組み合わせてもよい。このようにすると、係止板が偶然に係止方向に回転したり移動してしまい、係止状態が解除されるといった不具合を防止することができ、より確実に係止板を被係止板に係止させることができる。
【産業上の利用可能性】
【００４８】
本発明の取付装置は、取付物がアンテナに限定されるものではなく、たとえば、センサその他の機器等の取付装置にも適用が可能である。
【図面の簡単な説明】
【００４９】
【図１】第一実施形態にかかるアンテナ取付装置の使用状態を説明するための概略側面図を示している。
【図２】第一実施形態にかかるアンテナ取付装置の構成を説明するための概略分解斜視図を示している。
【図３】第一実施形態にかかるアンテナ取付装置の取付金具の構造を説明するための概略図であり、（ａ）は正面図を、（ｂ）はＡ−Ａ方向から見た側面図を示している。
【図４】第一実施形態にかかるアンテナ取付装置の被取付金具の構造を説明するための概略図であり、（ａ）は平面図を、（ｂ）は上面図を示している。
【図５】第一実施形態にかかるアンテナ取付装置の使用方法を説明するための概略図であり、（ａ）は取付金具の斜視図を、（ｂ）は被取付金具と挟支金具の斜視図を示している。
【図６】第一実施形態にかかるアンテナ取付装置において、取付金具を被取付金具に取り付ける第一動作を説明するための概略図を示している。
【図７】第一実施形態にかかるアンテナ取付装置において、取付金具を被取付金具に取り付ける第二動作を説明するための概略図を示している。
【図８】第一実施形態にかかるアンテナ取付装置の使用例を説明するための概略図であり、（ａ）は壁面に取り付けた斜視図を、（ｂ）は天井に取り付けた斜視図を示している。
【図９】第二実施形態にかかるアンテナ取付装置の使用状態を説明するための概略側面図を示している。
【図１０】第二実施形態にかかるアンテナ取付装置の取付金具の構造を説明するための概略図であり、（ａ）は平面図を、（ｂ）は上面図を示している。
【図１１】第二実施形態にかかるアンテナ取付装置の被取付金具の構造を説明するための概略図であり、（ａ）は正面図を、（ｂ）はＢ−Ｂ断面図を示している。
【図１２】第二実施形態にかかるアンテナ取付装置の使用方法を説明するための概略図であり、（ａ）は取付金具の斜視図を、（ｂ）は被取付金具と挟支金具の斜視図を示している。
【図１３】第二実施形態にかかるアンテナ取付装置において、取付金具を被取付金具に取り付ける動作を説明するための概略図であり、（ａ）は第一動作の正面図を、（ｂ）は第二動作の正面図を示している。
【図１４】従来例にかかるアンテナ取付装置を説明するための概略斜視図を示している。
【符号の説明】
【００５０】
１，１ａ  アンテナ取付装置
４  固定ねじ
５  固定ねじ
６  ナット
７  アンテナ
８  ポール
１０，１０ａ  取付金具
１１  平板
１１ａ  被係止板
１２  側板
１２ａ  ガイド部
１２１ａ，１２２ａ  切欠
１３  係止板
１３ａ  側板
１４  固定孔
１４ａ  固定孔
１５  回転止め
１５ａ  フランジ
２０，２０ａ  被取付金具
２１  被係止板
２１ａ  正面板
２２  ガイド部
２２ａ  係止板
２３  上板
２４  下板
２５  ポール固定部
２６  固定孔
２７  フランジ
２８  側板
３０  挟支金具
３１  ポール固定部
３２  フランジ
３３  固定孔
８１  壁面
８２  天井
１００  アンテナ取付装置
１０１  取付金具
１０２  Ｕボルト
１０３ナット
１０４  ボルト
１０５  連結金具
１０６  ボルト
１０７  ナット
１２１  端面
１３１  連結部
１３２  係止板本体
２１１ａ  切欠
２２１  切欠
２２１ａ  連結部
２２２  切欠
２２２ａ  係止板本体
【図１】
2005086393.tif 000003
【図２】
2005086393.tif 000004
【図３】
2005086393.tif 000005
【図４】
2005086393.tif 000006
【図５】
2005086393.tif 000007
【図６】
2005086393.tif 000008
【図７】
2005086393.tif 000009
【図８】
2005086393.tif 000010
【図９】
2005086393.tif 000011
【図１０】
2005086393.tif 000012
【図１１】
2005086393.tif 000013
【図１２】
2005086393.tif 000014
【図１３】
2005086393.tif 000015
【図１４】
2005086393.tif 000016